(57)【要約】【課題】  昼間の明るい光の状況下や夜間に懐中電灯等で人間が直接目視する場合はもちろん、監視用カメラ等の撮像装置によって撮影した画像によっても目盛りや文字を容易に読み取ることができる量水標を提供する。【解決手段】  量水標１Ａは、河川や海等の水位を示す目盛部４と、この目盛部４に対応する数値を示す文字部５とを有する量水標１Ａであって、前記目盛部４および前記文字部５は、その形状に合わせて所定の面積範囲内で部分的に再帰性反射材７を使って構成されている。【選択図】  図１
2006047167.tif 000002
【特許請求の範囲】
【請求項１】
河川や海等の水位を示す目盛部と、この目盛部に対応する数値を示す文字部とを有する量水標であって、前記目盛部および前記文字部は、その形状に合わせて所定の面積範囲内で部分的に再帰性反射材を使って構成されていることを特徴とする量水標。
【請求項２】
請求項１において、前記再帰性反射材は、前記目盛部および前記文字部の線幅の略中央部に沿って配置されていることを特徴とする量水標。
【請求項３】
請求項１において、前記再帰性反射材は、前記目盛部および前記文字部の縁部に沿って配置されていることを特徴とする量水標。
【請求項４】
請求項１から請求項３のいずれかにおいて、前記再帰性反射材は、前記目盛部および前記文字部のうち前記再帰性反射材を使用していない部分の色と同一色または同系色のものが使用されていることを特徴とする量水標。
【請求項５】
請求項１から請求項４のいずれかにおいて、前記再帰性反射材は、前記目盛部および前記文字部の面積のうち約５０％以下の範囲に限定して配置されていることを特徴とする量水標。
【請求項６】
請求項１から請求項５のいずれかにおいて、前記目盛部では、その長手方向の左右いずれかに限定して前記再帰性反射材が配置されていることを特徴とする量水標。
【請求項７】
請求項１から請求項６のいずれかにおいて、前記目盛部および前記文字部は、白色または淡色によって形成され、これよりも濃い色の背景内に配置されていることを特徴とする量水標。
【請求項８】
請求項１から請求項７のいずれかにおいて、前記量水標の長手方向に沿って連続した細い直線状に再帰性反射材を配置することにより水位確認線を形成していることを特徴とする量水標。
【発明の詳細な説明】
【技術分野】
【０００１】
本発明は、河川や海などの水位を目視で測定する量水標に関し、特に、昼間はもとより、夜間において懐中電灯の光で照らして測定する場合だけでなく、照明付き監視カメラ等を使っても撮影した量水標画像から水位を読み取るのに好適な量水標に関するものである。
【背景技術】
【０００２】
従来より、河川や海などの水位を目視で測定する標識として量水標が使用されている。この量水標は、目盛や数字が表示されている量水板と、これを支える支柱とから構成されており、川岸や海岸に設置される。平時の時はもちろん、台風等により河川が増水する場合には昼夜を問わず水位を監視するために量水標が必要とされる。そして、夜間に測定する場合には、暗いので懐中電灯で照らして水位を読み取る。
【０００３】
このような量水標について、従来、視認性を高めるための技術が提案されている。実開昭５７−７５５２３号公報に記載の発明は、凸状面を備えた量水板にガラスビーズ入り無機質蛍光インキを使用して寸法目盛を形成した量水標が提案されている（特許文献１）。また、本件出願人も実開平７−３２５１２号公報において、量水板の表示部を全面反射シートにより構成した量水標を提案している（特許文献２）。これらの発明によれば、河川管理者やこの管理者から委託を受けた業者が水位を測定する際、夜間であっても懐中電灯で照らせば、反射材等により量水標の目盛や目盛数字を読むことが可能である。
【０００４】
【特許文献１】実開昭５７−７５５２３号公報
【特許文献２】実開平７−３２５１２号公報
【発明の開示】
【発明が解決しようとする課題】
【０００５】
しかしながら、近年、河川等には照明付きの監視用カメラが設置されることが多くなってきており、河川管理者等が直接現地に行って測定作業を行うだけでなく、前記監視用カメラを使って量水標画像を撮影し、この画像から水位が読み取りたいとのニーズが多くなってきている。特に、夜間の河川や海岸は真っ暗であるし、大雨のときには増水しており、この場合の測定作業は危険が伴うため、河川管理者等が直接現地に行くのは避け、監視用カメラを利用したいとのニーズが高い。ところが、前述した従来の量水標は、河川管理者等が直接目視することを想定しているため、感度の高い監視用カメラで撮影すると正確に読めないという問題がある。例えば、夜間に監視用カメラに付属された照明器で量水標を照らしながら撮影すると、監視用カメラは人間の目よりも感度が高いことから、反射材からの反射光が周囲の明るさに比べて相対的に強くなり過ぎてしまいハレーションが生じる。このような場合、撮影した量水標は全体が光ってしまい、目盛りや目盛数字がほとんど読めないという問題がある。
【０００６】
前記ハレーションを防止するため、反射率の低い反射材を使用する方法が考えられるが、単純に低い反射材を使用しただけでは夜間に懐中電灯等で照らして河川管理者等が直接目視する場合の視認性が低減されてしまう。もちろん、反射材を全く使用しない量水標では、例え照明を当てたとしても、感度の低い監視用カメラや、人間の目では目盛りや文字が視認し難いという問題がある。
【０００７】
また、本件発明者らは、反射材を使った目盛りや目盛数字の線幅を細くすることによって反射面積を小さくする実験も行ったが、ハレーションを抑えることができても、目盛り数字等が細くなることで読みにくくなり、特に昼間の視認性が悪くなってしまうという問題がある。
【０００８】
本発明は、このような問題点を解決するためになされたものであって、昼間の明るい光の状況下や夜間に懐中電灯等で人間が直接目視する場合はもちろん、監視用カメラ等の撮像装置によって撮影した画像によっても目盛りや文字を容易に読み取ることができる量水標を提供することを目的としている。
【課題を解決するための手段】
【０００９】
本発明に係る量水標の特徴は、河川や海等の水位を示す目盛部と、この目盛部に対応する数値を示す文字部とを有する量水標であって、前記目盛部および前記文字部は、その形状に合わせて所定の面積範囲内で部分的に再帰性反射材を使って構成されている点にある。
【００１０】
ここで再帰性反射材とは、入射した光を光源に反射させる作用を備えた材料のことであり、一般に微細なガラスビーズを使用したものが知られている。また、再帰性反射材以外の材料、つまり、非再帰性反射材は再帰性反射を行わない材料のことであり、乱反射や正反射するものも含まれる。
【００１１】
また、本発明において、前記再帰性反射材は、前記目盛部および前記文字部の線幅の略中央部に沿って配置されているか、あるいは前記目盛部および前記文字部の縁部に沿って配置されていることが好ましい。これにより、目盛部や文字部の形状が適正に反射されて識別しやすくなる。
【００１２】
さらに、本発明において、前記再帰性反射材は、前記目盛部および前記文字部のうち前記再帰性反射材を使用していない部分の色と同一色または同系色のものを使用することが好ましい。これによって昼間の視認性を良好に保つことができる。発明者らの実験によれば非再帰性反射材を使用した部分と異なる色の再帰性反射材を使用した場合には、昼間に読みにくくなることが認められた。
【００１３】
また、本発明において、前記再帰性反射材は、前記目盛部および前記文字部の面積のうち約５０％以下の範囲に限定して配置されていることが好ましい。これによりハレーションの悪影響を最低限抑制することができる。
【００１４】
さらに、本発明において、前記目盛部では、その長手方向の左右いずれかに限定して前記再帰性反射材が配置されていることが好ましい。これにより、目盛部の長手方向に再帰性反射材を設けない部分が形成されるため、ハレーションが生じない部分を残すことができて、より正確に水位を読みやすくなる。
【００１５】
さらに、本発明において、前記目盛部および前記文字部は、白色または淡色によって形成され、これよりも濃い色の背景内に配置されていることが好ましい。これは、再帰性反射材が、白色および黒色のものは白く反射し、その他のカラー色のものは強い光が当たるほど白色に近い反射光となる性質を考慮したものであり、再帰性反射材の反射によって目盛部や文字部が背景に埋没してしまうのを防止するものである。
【００１６】
また、本発明において、前記量水標の長手方向に沿って連続した細い直線状に再帰性反射材を配置することにより水位確認線を形成していることが好ましい。これにより水面との境界が明瞭に視認することができる。
【発明の効果】
【００１７】
本発明によれば、昼間の明るい光の状況下や夜間に懐中電灯等で人間が直接目視する場合はもちろん、監視用カメラ等の撮像装置によって撮影した画像によっても目盛りや文字を容易に読み取ることができる。
【発明を実施するための最良の形態】
【００１８】
以下、本発明に係る量水標１Ａの第１の実施形態について図面を用いて説明する。
【００１９】
本願発明者らは、前述した課題に対して様々な側面から検討し、実験を行った結果、水位を示す目盛部および目盛数字等の文字部の全体を再帰性反射材によって構成するのではなく、目盛部の形状および文字部の形状に沿って所定の配分（面積）で部分的、限定的に再帰性反射材を用いて構成することが好ましいことを見出した。
【００２０】
図１は、本第１実施形態の量水標１Ａを示す正面図であり、図２はその平面図である。本第１実施形態の量水標１Ａは、平面断面が円弧状に湾曲された表示板２と、この表示板２を支える支柱３とから構成されている。前記表示板２の両端には平面状の平面部２１が正面の湾曲凸面２２から連続的に延出されており、ビス等によって支柱３に固定されるようになっている。また、表示板２は防腐性や耐久性に優れたアルミニウム材料により形成されている。
【００２１】
図１に示すように、表示板２の湾曲凸面２２には、河川や海等の水位を示すための目盛部４が中央および両側に形成されており、それらの目盛部４の数値を示す目盛数字５１が中央部分に形成されており、下部位置には、標高を示す標高値５２が記載されている。
【００２２】
本第１実施形態では、表示板２の長手方向に沿って１０ｃｍ毎に１つの表示ユニットＵが構成されており、この表示ユニットＵを連続的に配置して識別しやすく構成している。各表示ユニットＵには、異なる色の背景が交互に使用されており、例えば、赤色と青色の非再帰性反射材６が交互に使用されている。これら濃色の赤色および青色の非再帰性反射材６からなる背景中に、背景よりも薄い淡色あるいは白色の非再帰性反射材６および再帰性反射材７を使って目盛部４および文字部５が構成されている。再帰性反射材７の色は各色存在するが、白色のみならず、黒色も反射光は白く見え、カラー色も弱い光であれば各カラー色で反射するが、強い光になる程白っぽく反射する。このため、背景を白くして目盛部４や文字部５を黒色あるいはカラー色にしてしまうと、反射光が背景の白色に埋没してしまい、読めなくなる。そこで、前述のごとく濃色の背景中に淡色あるいは白色の目盛部４および文字部５を構成して、同色または同一色の再帰性反射材７を配置している。
【００２３】
目盛部４は、１０ｃｍ幅ごとに形成された大目盛部４１と、５ｃｍ幅で形成された中目盛部４２と、１ｃｍ幅で形成された小目盛部４３とから構成されている。大目盛部４１は、表示板２の中央部に各表示ユニットＵの境界線として形成されており、白色または淡色の非再帰性反射材６の中に同一色または同一系統色の再帰性反射材７が点線状に設けられている。
【００２４】
中目盛部４２および小目盛部４３は、左右両側に形成されており、高さ方向に中目盛部４２と小目盛部４３が５ｃｍ間隔を隔てて交互に配置されている。中目盛部４２は表示ユニットＵごとに青色または赤色の濃色を交互に使って形成されている。また、小目盛部４３は白色あるいは淡色の１ｃｍラインと、赤色または青色の１ｃｍラインとによって形成されており、白色または淡色のラインの中には、その線幅の略中央部に沿って約２ｍｍ幅の線分が再帰性反射材７によって形成されている。線幅を反射しない非再帰性反射材６によって太く形成しておくことで昼間の視認性を高めているものである。
【００２５】
また、再帰性反射材７による２ｍｍ幅の線分は、小目盛部４３の長手方向の左右いずれか、本第１実施形態では目盛数字５１から離れた端側にのみ形成されている。これは、再帰性反射材７を細く形成しても程度の差こそあれ、ハレーションが生じることには変わらず、正確に小目盛部４３を読み取ることができない場合も発生する。このように再帰性反射材７を設けない部分をある範囲形成しておくことで、高感度カメラによっても正確に小目盛部４３を読み取ることが可能となる。なお、小目盛部４３の中央部分にのみ再帰性反射材７を設ける場合には、ハレーションが左右にも及んでしまうため、上述した効果は高くない。さらに、再帰性反射材７を長手方向に限定的に配置することは、再帰性反射材７の形成面積を小さくしてハレーションが強く生じるのを確実に抑制することや、後述する文字部５の目盛数字５１に形成する再帰性反射材７との位置関係上、距離を隔てることにより両者の再帰性反射材７によるハレーション効果を抑制することにもなる。なお、本第１実施形態では、再帰性反射材７の反射効果を保ちつつ監視用カメラで撮影する際のハレーションを抑えるために、再帰性反射材７を各小目盛部４３の総面積に対して１０％の面積に設定しているが、その割合が５０％を越えない範囲が好ましい。なお、小目盛部４３の線幅は昼間でも見やすい幅として約１ｃｍに形成されている
【００２６】
一方、目盛数字５１および標高値５２からなる文字部５にも再帰性反射材７が使用されている。文字部５は赤色または青色の濃い色を背景として白色または淡色の非再帰性反射材６によって１ｃｍ幅で描かれており、その文字部５の形状に沿って中央部分に約２ｍｍ幅のラインが再帰性反射材７によって形成されている。このように文字部５においても再帰性反射材７の反射効果を発揮しつつ監視用カメラで撮影したときのハレーションを抑制するために、再帰性反射材７は文字部５の総面積に対して約２０％の面積に設定しているが、５０％を越えない範囲であればよい。なお、文字部５の線幅も１ｃｍで形成することにより、昼間の視認性を高めている。また、標高値５２は青色の背景に黄色文字で表示されており、より識別しやすい構成とされている。
【００２７】
また、表示板２の両側縁における平面部２１は、白色または淡色の非再帰性反射材６により背景が構成されており、この背景の中に高さ方向に連続した細い直線状の水位確認線８が再帰性反射材７によって形成されている。また、平面部２１には、所定の間隔を隔てて挿通孔９が穿孔されており、この挿通孔９からアンカーボルトなどの取付具を挿通して構造物に取り付けるようになっている。
【００２８】
本第１実施形態の量水標１Ａでは、表示板２の表面全体に再帰性反射材７を形成しておき、その上に目盛部４や文字部５の形状に合わせて非再帰性反射材６を重ねることにより、所望の限定的、部分的な範囲にのみ再帰性反射材７を残すようになっている。もちろんそれとは逆に非再帰性反射材６を表示板２の表面全体に形成しておき、その上に再帰性反射材７を部分的に重ねて形成するようにしてもよい。再帰性反射材７および非再帰性反射材６の形成にあたっては、印刷や貼り付け等、いずれの方法を使用してもかまわない。
【００２９】
つぎに、本第１実施形態の量水標１Ａの作用およびこれを用いた水位の測定方法について説明する。
【００３０】
本第１実施形態の量水標１Ａによって、河川や海などの水位を測定する場合、まず、平面部２１の挿通孔９にアンカーボルトを挿通して所定の構造物に量水標１Ａを固定する。そして、昼間の明るい状況下で水位を読み取る場合、目盛部４や文字部５が１０ｍｍ程度の太い線幅で非再帰性反射材６によって形成されているため、容易に水位を読み取ることができる。一方、夜間の暗い状況下では、懐中電灯で照らして目視により読み取る場合、目盛部４や文字部５に配置された再帰性反射材７および水位確認線８が懐中電灯の光を適度に反射させるため、水位を極めて明瞭に読み取ることができる。さらに、夜間の暗い状況下で照明を当てて監視用カメラで撮影した画像から読み取る場合、目盛部４や文字部５の形状（線状）に沿って部分的に配置した再帰性反射材７が、照明光を反射し過ぎることなく監視用カメラにおけるハレーションの発生を抑制し、明瞭に読み取ることができる。また、目盛部４および文字部５が、赤色または青色の背景中に白抜きで構成されているために読み取り易い。これは、実験の結果、監視用カメラの感度が低ければ非再帰性反射材６部分は赤色や青色等の濃色であろうが淡色であろうが黒っぽく見えるが、近年の高感度の監視用カメラの場合、淡色は白っぽくなってしまうので、淡色ベースの中に濃色の文字を配置するよりも、濃色ベースの中に淡色の文字を配置する方が見やすくなることがわかった。また、量水標１Ａの両サイドには水位確認線８が形成されているため、水没ラインが明度差によって判別しやすく、誤認を防止できる。
【００３１】
以上のような本第１実施形態によれば、昼夜を問わず、人間による目視であっても、監視用カメラのような撮像装置により撮影された画像を介した場合であっても、目盛部４や文字部５を容易に視認して水位を測定することができる。
【実施例１】
【００３２】
つぎに、前述した第１実施形態の量水標１Ａと、従来の量水標との視認性について比較した実験を行った。実験に使用した量水標は、目盛部４および文字部５の一部を部分的に再帰性反射材７によって構成した本第１実施形態の量水標１Ａ（実施例１）と、再帰性反射材７を一切使用しない無反射型の量水標（比較例１）と、表示板２の表面をすべて再帰性反射材７によって構成した全面反射型の量水標（比較例２）と、表示板２の表面のうち小目盛部４３の白色部分全体と文字部５の背景全体を再帰性反射材７によって構成した部分反射型の量水標（比較例３）と、表示板２の表面のうち大目盛部４１および小目盛部４３の全体と文字部５の全体を再帰性反射材７によって構成した部分反射型の量水標（比較例４）とを準備した。これら各量水標１Ａにつき、（ａ）昼間の明るい状況下で水位を読み取る場合、（ｂ）夜間の暗い状況下で懐中電灯で照らして目視により読み取る場合、（ｃ）夜間の暗い状況下で照明を当てて監視用カメラで撮影した画像から読み取る場合、および（ｄ）実際に水中に配置し、夜間の暗い状況下で照明を当てて監視用カメラで撮影した画像から読み取る場合における水位の視認性を比較検討した。
【００３３】
本発明に係る実施例１の量水標１Ａの場合、図３（ａ）の昼間の明るい状況下はもちろん、図３（ｂ）の夜間であっても懐中電灯で照らした部分の再帰性反射材７が反射し、目盛部４および目盛数字５１は明瞭に読み取れる。また、（ｃ）の夜間に監視用カメラで撮影した画像から大目盛部４１、中目盛部４２および小目盛部４３や目盛数字５１が明瞭に読み取れる。実際に水中内に配置した場合も水位確認線８がはっきり表れ、容易に水位を読み取ることができる。
【００３４】
一方、無反射型の量水標の場合、図４に示すように、（ａ）昼間の明るい状況下や（ｃ）及び（ｄ）の夜間に照明を当てて監視用カメラで撮影した画像からは目盛部４や目盛数字５１を視認できたが、図４（ｂ）の夜間に懐中電灯を当てて目視する場合では懐中電灯を当てても反射する光の量が少ないため目盛部４や文字部５を読み取ることができなかった。
【００３５】
つぎに、全面反射型の量水標の場合、図５に示すように、（ａ）昼間や（ｂ）夜間に目視したときの視認性はよい。しかし、（ｃ）及び（ｄ）の照明を当てて監視用カメラによって撮影した画像では、地上および水中の双方の場合において強いハレーションが発生し、水位を読み取ることができなかった。
【００３６】
また、比較例３の部分反射型の量水標の場合、図６に示すように、（ａ）昼間の状況下および（ｂ）夜間の懐中電灯で照らした状況下のいずれの場合も視認性は良かったが、図６（ｃ）および図６（ｄ）に示すように、夜間に監視用カメラで撮影したときは照明によって背景等がハレーションを起こしてしまって反射の面積が広すぎるため、水位を読み取ることができなかった。
【００３７】
ほぼ同様に、比較例４である部分反射型の量水標の場合、図７（ｃ）および図７（ｄ）に示すように、夜間に照明を当てて監視用カメラで撮影した画像は黒色の目盛数字５１が白くハレーションに埋もれてしまうとともに、反射の面積が広すぎるため、目盛数字５１が読めなくなってしまった。これに加えて図７（ｂ）の懐中電灯を当てて読み取る場合にも、目盛数字５１を識別するのが難しい状況であった。
【００３８】
以上の結果を図８に整理した。つまり、再帰性反射材７を全く使用しない場合や効果的に使用しない場合には、夜間の懐中電灯下における視認性が悪くなり、再帰性反射材７を全面的に使用する場合や部分的ではあるが文字全体や目盛部分全体に使用する場合には、夜間に照明を当てて監視用カメラで撮影する場合の視認性が悪くなる。したがって、目盛部４および文字部５を構成する面積のうち、所定の一部分にだけ再帰性反射材７を設け、その他の部分を非再帰性反射材６により構成することにより、昼夜を問わず、目視であっても、撮像装置による撮像画像であっても水位を容易に読み取ることが可能であり、視認性を良好に確保することができることがわかった。
【実施例２】
【００３９】
つぎに、上記実施例１の結果に基づいて、目盛部４および文字部５に部分的に使用する再帰性反射材７の占有面積をどの程度の専有面積にするのがより効果的に視認性を向上できるか検討した。本実施例２では、線幅が１ｃｍの小目盛部４３および文字部５について、再帰性反射材７の形成幅を１ｍｍ〜６ｍｍまで変更し、それぞれ昼間に目視した場合、夜間に懐中電灯で照らして目視した場合、夜間に照明を当てて監視カメラで撮影した画像から読み取る場合の各状況下で、目盛部４および文字部５が読みやすいか視認性を検討した。これらの実験条件およびその読み取り結果を図９に示す。
【００４０】
本実施例２では、再帰性反射材７として住友スリーエム株式会社の反射シートであるスコッチライト（登録商標）の５８０シリーズを使用した。その結果、図９に示すように、再帰性反射材７の線幅が１ｍｍのときは懐中電灯で照らしても読み取ることは可能であるが読みやすいとはいえず、２ｍｍ〜３ｍｍのときが各状況下においてバランスよく読み取りやすいことがわかる。４ｍｍ〜５ｍｍになるとハレーションが少し強くなり、５ｍｍを越えると高感度の監視用カメラではハレーションが強くなり過ぎる。
【００４１】
つぎに、本発明に係る量水標１Ｂの第２の実施形態について図面を用いて説明する。なお、本第２実施形態の構成のうち、前述した第１実施形態の構成と同一若しくは相当する構成については同一の符号を付して再度の説明を省略する。また、以下の実施形態において、量水標１Ｂを構成する各表示ユニットＵは同等の構成であるため、１つの表示ユニットＵを用いて説明する。
【００４２】
図１０および図１１に示すように、本第２実施形態の量水標１Ｂの特徴は、文字部５中に配置される白色の再帰性反射材７を波線または点線により構成した点にある。図１０は、目盛数字５１の中に約５ｍｍ長さの波線を約２ｍｍの隙間を隔てて配置した例であり、図１１は、約２ｍｍ長さの点線を約２ｍｍの隙間を隔てて配置した例である。これらの構成によれば、非再帰性反射材６で構成される波線間または点線間の隙間も、その両側に配置されている再帰性反射材７からの反射光により補完されるため、連続線とほぼ同等な効果を得ることができる。
【００４３】
つぎに、本発明に係る量水標１Ｃの第３の実施形態について図面を用いて説明する。なお、本第３実施形態の構成のうち、前述した各実施形態の構成と同一若しくは相当する構成については同一の符号を付して再度の説明を省略する。
【００４４】
図１２および図１３に示すように、本第３実施形態の量水標１Ｃの特徴は、文字部５の縁部の内側に沿って白色の再帰性反射材７を配置した点にある。図１２は、目盛数字５１の縁部の内側に沿って連続線に再帰性反射材７を配置した例であり、図１３は、目盛数字５１の縁部の内側に沿って点線状に再帰性反射材７を配置した例である。これらの構成によっても目盛数字５１の縁部のみが反射し、夜間の監視用カメラで撮影した場合の強すぎるハレーションを防止しつつ視認性を向上させられる。ただし、目盛数字５１の線幅が小さい場合には連続線の幅や波線の幅が太くなりすぎると、両縁部間の距離が小さくなり、反射光が強くなり過ぎるおそれがあるので注意が必要である。
【００４５】
つぎに、本発明に係る量水標１Ｄの第４の実施形態について図面を用いて説明する。なお、本第４実施形態の構成のうち、前述した各実施形態の構成と同一若しくは相当する構成については同一の符号を付して再度の説明を省略する。
【００４６】
図１４から図１６に示すように、本第４実施形態の量水標１Ｄの特徴は、白色で形成した小目盛部４３の縁部の内側に沿って白色の再帰性反射材７を配置した点にある。図１４は、小目盛部４３の縁部の内側に沿って再帰性反射材７を点線状に配置した例であり、図１５は、小目盛部４３の縁部の内側に沿って再帰性反射材７を連続線に配置した例である。また、図１６は、小目盛部４３の長手方向における目盛数字５１から離れた範囲についてだけ、縁部に沿って再帰性反射材７を点線状に配置した例である。これらの構成によれば、目盛部４の縁部のみが反射光を発するため、夜間時の監視用カメラによる広い範囲のハレーションを防止しつつ、目盛の視認性を向上させられる。また、図１６のように、小目盛部４３のうち、文字部５から離れた位置にのみ再帰性反射材７を配置すれば、文字部５の再帰性反射材７による反射光による影響を抑えることができる。
【００４７】
つぎに、本発明に係る量水標１Ｅの第５の実施形態について図面を用いて説明する。なお、本第５実施形態の構成のうち、前述した各実施形態の構成と同一若しくは相当する構成については同一の符号を付して再度の説明を省略する。
【００４８】
図１７から図２２に示すように、本第５実施形態の量水標１Ｅの特徴は、小目盛部４３の形状に合わせて内部に白色の再帰性反射材７を適宜配置した点にある。図１７は、小目盛部４３の長手方向を等分するように所定間隔を隔てて再帰性反射材７を鉛直線状に配置した例である。図１８は、小目盛部４３の線幅の約半分の線幅の再帰性反射材７を、目盛数字５１から離れた表示板２の外側半分にだけ配置した例である。また、図１９は、小目盛部４３の長手方向と同一長さの再帰性反射材７を線幅約２ｍｍで配置した例であり、図２０は、小目盛部４３の長手方向のうち、目盛数字５１側の線幅が約２ｍｍで、かつ、外側の線幅が約５ｍｍの再帰性反射材７を配置した例である。さらに、図２１は、線幅約２ｍｍの再帰性反射材７を目盛数字５１側の半分にだけ配置した例であり、図２２は、小目盛部４３の内部に線幅約５ｍｍの再帰性反射材７を配置した例である。このように小目盛部４３の形状に合わせて部分的に再帰性反射材７を配置することによって、小目盛部４３の形状に沿って反射光が形成され、広い範囲でのハレーションを防止する機能を保持しつつ、懐中電灯等の弱い光源によっても目視することが可能となる。
【００４９】
つぎに、本発明に係る量水標１Ｆの第６の実施形態について図面を用いて説明する。なお、本第６実施形態の構成のうち、前述した各実施形態の構成と同一若しくは相当する構成については同一の符号を付して再度の説明を省略する。
【００５０】
図２３および図２４に示すように、本第６実施形態の量水標１Ｆの特徴は、文字部５の縁部の外側に沿って背景と同一色または同系色の再帰性反射材７を配置した点にある。この場合、視認性は先の第１乃至第５実施形態に比べると低下するが、本発明による効果は得られる態様である。図２３は、目盛数字５１の縁部の外側に沿って連続線状に再帰性反射材７を配置した例であり、図２４は、目盛数字５１の縁部の外側に沿って点線状に再帰性反射材７を配置した例である。これらの構成によれば、目盛数字５１の縁部の外側が光って見えるため、目盛数字５１の視認性を向上させられる。また、目盛数字５１の線幅がある程度小さくても、夜間時に監視用カメラで撮影した際の広い範囲でのハレーションを防止することができる。
【００５１】
つぎに、本発明に係る量水標１Ｇの第７の実施形態について図面を用いて説明する。なお、本第７実施形態の構成のうち、前述した各実施形態の構成と同一若しくは相当する構成については同一の符号を付して再度の説明を省略する。
【００５２】
図２５から図２７に示すように、本第７実施形態の量水標１Ｇの特徴は、背景と同一色または同系色の非再帰性反射材６により構成されている小目盛部４３および中目盛部４２の形状に合わせ、その縁部に沿ってこれと同一色または同系色の再帰性反射材７を適宜配置した点にある。図２５は、小目盛部４３および中目盛部４２の縁部に沿って再帰性反射材７を点線状に配置した例であり、図２６は、小目盛部４３および中目盛部４２の縁部に沿って再帰性反射材７を連続線状（直線状）に配置した例である。また、図２７は、濃色で形成した小目盛部４３および中目盛部４２の上縁部（白色の小目盛部４３にとっては下縁に相当する）のみに沿って再帰性反射材７を配置した例である。これらの構成によれば、小目盛部４３および中目盛部４２の縁部が再帰性反射材７によって明確に視認されるため、夜間における懐中電灯による目視および監視用カメラによる画像のいずれでも水位を読み取り易い。
【００５３】
つぎに、本発明に係る量水標１Ｈの第８の実施形態について図面を用いて説明する。なお、本第８実施形態の構成のうち、前述した各実施形態の構成と同一若しくは相当する構成については同一の符号を付して再度の説明を省略する。
【００５４】
図２８から図３３に示すように、本第８実施形態の量水標１Ｈの特徴は、小目盛部４３および中目盛部４２の形状に合わせて、その内側に背景と同一色または同系色の再帰性反射材７を部分的に適宜配置した点にある。図２８は、小目盛部４３の長手方向を等分するように再帰性反射材７を鉛直線状に配置するとともに、中目盛部４２内には約３ｍｍ四方の再帰性反射材７を適当な間隔を空けて全体に分散させた例である。また、図２９は、小目盛部４３内に線幅約５ｍｍの再帰性反射材７を目盛数字５１と離れた外側の半分にだけ配置し、中目盛部４２内には約５ｍｍ四方の再帰性反射材７を目盛数字５１と離れた外側の半分に複数個配置した例である。さらに、図３０は、小目盛部４３内に線幅約２ｍｍの再帰性反射材７を目盛数字５１と離れた外側の半分にだけ配置し、中目盛部４２内には、目盛数字５１と離れた外側の略半分の縁部に沿って再帰性反射材７を点線状に配置し、大目盛部４１も直線状に形成した例である。また、図３１は、小目盛部４３の線幅の略中央部および中目盛部４２の縁部に沿って再帰性反射材７を点線状に配置した例であり、図３２は、小目盛部４３の線幅の略中央部および中目盛部４２の縁部に沿って再帰性反射材７を直線状に配置した例である。さらに、図３３は、小目盛部４３の内部に線幅約５ｍｍの再帰性反射材７を配置し、中目盛部４２内には、縁部の内側近傍に沿って線幅約５ｍｍの再帰性反射材７を長方形状に配置した例である。これらの構成によれば、夜間に懐中電灯で照らした際や監視用カメラで撮影した画像において小目盛部４３および中目盛部４２の形状に沿って適度に光が反射し、水位を容易に読み取ることができる。
【００５５】
なお、本発明に係る量水標は、前述した各実施形態に限定されるものではなく、適宜変更することができる。
【００５６】
例えば、前述した各実施形態では、より視認性を高めるため、赤色や青色の非再帰性反射材６を背景として配置し、この中に白色の非再帰性反射材６を配置して目盛部４および文字部５を構成している。しかしながら、これとは逆に、白色の非再帰性反射材６を背景として配置し、この中に赤色や青色の非再帰性反射材６を配置して目盛部４および文字部５を構成することも可能である。この場合、文字部５内に配置する再帰性反射材７は、その文字部５を構成する非再帰性反射材６と同一色または同系色にするのが好ましい。
【図面の簡単な説明】
【００５７】
【図１】本発明に係る量水標の第１実施形態を示す正面図である。
【図２】図１の平面図である。
【図３】実施例１の視認性の実験結果を示すデジタル写真画像である。
【図４】比較例１の視認性の実験結果を示すデジタル写真画像である。
【図５】比較例２の視認性の実験結果を示すデジタル写真画像である。
【図６】比較例３の視認性の実験結果を示すデジタル写真画像である。
【図７】比較例４の視認性の実験結果を示すデジタル写真画像である。
【図８】実施例１および比較例１〜４の視認性の実験結果を示す表である。
【図９】実施例２の実験条件および実験結果を示す表である。
【図１０】本発明に係る量水標の第２実施形態を示す部分正面図である。
【図１１】第２実施形態における他の実施例を示す部分正面図である。
【図１２】本発明に係る量水標の第３実施形態を示す部分正面図である。
【図１３】第３実施形態における他の実施例を示す部分正面図である。
【図１４】本発明に係る量水標の第４実施形態を示す部分正面図である。
【図１５】第４実施形態における他の実施例を示す部分正面図である。
【図１６】第４実施形態における他の実施例を示す部分正面図である。
【図１７】本発明に係る量水標の第５実施形態を示す部分正面図である。
【図１８】第５実施形態における他の実施例を示す部分正面図である。
【図１９】第５実施形態における他の実施例を示す部分正面図である。
【図２０】第５実施形態における他の実施例を示す部分正面図である。
【図２１】第５実施形態における他の実施例を示す部分正面図である。
【図２２】第５実施形態における他の実施例を示す部分正面図である。
【図２３】本発明に係る量水標の第６実施形態を示す部分正面図である。
【図２４】第６実施形態における他の実施例を示す部分正面図である。
【図２５】本発明に係る量水標の第７実施形態を示す部分正面図である。
【図２６】第７実施形態における他の実施例を示す部分正面図である。
【図２７】第７実施形態における他の実施例を示す部分正面図である。
【図２８】本発明に係る量水標の第８実施形態を示す部分正面図である。
【図２９】第８実施形態における他の実施例を示す部分正面図である。
【図３０】第８実施形態における他の実施例を示す部分正面図である。
【図３１】第８実施形態における他の実施例を示す部分正面図である。
【図３２】第８実施形態における他の実施例を示す部分正面図である。
【図３３】第８実施形態における他の実施例を示す部分正面図である。
【符号の説明】
【００５８】
１Ａ，１Ｂ，１Ｃ，１Ｄ，１Ｅ，１Ｆ，１Ｇ，１Ｈ  量水標
２  表示板
３  支柱
４  目盛部
５  文字部
６  非再帰性反射材
７  再帰性反射材
８  水位確認線
９  挿通孔
２１  平面部
２２  湾曲凸面
４１  大目盛部
４２  中目盛部
４３  小目盛部
５１  目盛数字
５２  標高値
Ｕ  表示ユニット
【図２】
2006047167.tif 000003
【図８】
2006047167.tif 000004
【図９】
2006047167.tif 000005
【図１】
2006047167.tif 000006
【図３】
2006047167.tif 000007
【図４】
2006047167.tif 000008
【図５】
2006047167.tif 000009
【図６】
2006047167.tif 000010
【図７】
2006047167.tif 000011
【図１０】
2006047167.tif 000012
【図１１】
2006047167.tif 000013
【図１２】
2006047167.tif 000014
【図１３】
2006047167.tif 000015
【図１４】
2006047167.tif 000016
【図１５】
2006047167.tif 000017
【図１６】
2006047167.tif 000018
【図１７】
2006047167.tif 000019
【図１８】
2006047167.tif 000020
【図１９】
2006047167.tif 000021
【図２０】
2006047167.tif 000022
【図２１】
2006047167.tif 000023
【図２２】
2006047167.tif 000024
【図２３】
2006047167.tif 000025
【図２４】
2006047167.tif 000026
【図２５】
2006047167.tif 000027
【図２６】
2006047167.tif 000028
【図２７】
2006047167.tif 000029
【図２８】
2006047167.tif 000030
【図２９】
2006047167.tif 000031
【図３０】
2006047167.tif 000032
【図３１】
2006047167.tif 000033
【図３２】
2006047167.tif 000034
【図３３】
2006047167.tif 000035